(57)【要約】【課題】手荷物などをパイプなどの引っ掛け部に吊るす保持具に関して，手荷物などと引っ掛け部との距離を任意に設定出来る構造とすることによって，手荷物の大きさ，重さ，形状などに応じて最適な高さ位置に吊るして保持することが出来ることにより，従来の簡易吊り具が有していた欠点を完全に解決し，かつ軽量，小型で携帯に適した携帯用保持具を提供する。【解決手段】紐体からなる連結材の一端側に取り付けられて，手荷物などの第一の保持対象を保持する第一の保持部材，および連結材の他端側に取り付けられて，ラチエット構造などによる連結材の引き出し制限機能を備え，かつ引出し，巻き戻し機能により連結材の長さ設定を行う調節部材，ならびに調節部材に取り付けられて，引っ掛け部などの第二の保持対象を保持する第二の保持部材で構成され，第一の保持対象と第二の保持対象が調節設定された連結材の長さで連結保持される軽量，小型で，携帯に適したサイズの携帯用保持具。【選択図】図１
0003133339.tif 000002
【実用新案登録請求の範囲】
【請求項１】
紐体からなる連結材の一端側に取り付けられて，第一の保持対象を保持する第一の保持部材，および連結材の他端側に取り付けられて，引き出し制限機能を備え，かつ引出し，巻き戻し機能により連結材の引き出し長さの設定を行う調節部材，ならびに調節部材に取り付けられて，第二の保持対象を保持する第二の保持部材で構成され，第一の保持対象と第二の保持対象が調節設定された連結材の長さで連結保持される軽量，小型な携帯用保持具。
【請求項２】
巻尺用の目盛りが記された紐体からなる連結材の一端側に取り付けられて，第一の保持対象を保持する第一の保持部材，および連結材の他端側に取り付けられて，引き出し制限機能を備え，かつ引出し，巻き戻し機能により連結材の引き出し長さの設定を行う調節部材，ならびに調節部材に取り付けられて，第二の保持対象を保持する第二の保持部材で構成され，第一の保持対象と第二の保持対象が調節設定された連結材の長さで連結保持される保持具として，さらに紐体を巻尺としても利用可能な軽量，小型な携帯用保持具。
【考案の詳細な説明】
【技術分野】
【０００１】本考案は，引き出し制限機能を備え，かつ引出し，巻き戻し機能を有する調整部材により引き出し長さが調節設定される連結材により，第一の保持対象と，第二の保持対象が設定された連結材の長さで連結保持される軽量，小型な携帯用保持具に関する。
【背景技術】
【０００２】手荷物による重さからの開放や，手を自由に使うために，身近な引っ掛け部に手荷物を簡易的に吊したいと思うことが多く，このために鞄などの手荷物と出っ張りやパイプなどの引っ掛け部を，両端に引っ掛けフックを有する吊り具にそれぞれ引っ掛けて，手荷物などを引っ掛け部に吊るす簡易吊り具が種々提案さている。一般的に手荷物などを引っ掛け部に吊るす場合，手荷物の形状や重量，内容によっては，床の近くに吊るすことが望ましい場合も有るとともに，邪魔にならない高さに吊り下げたい希望が有るなど，吊るし高さは最適に選べることが重要である。しかし，現状の簡易吊り具は，いずれも，手荷物と引っ掛け部との距離は吊り具により固定されている構造のため，引っ掛け部の位置により手荷物の保持高さが決まってしまうとともに，携帯には不向きな形状，サイズであるなど種々の欠点を有している。
【考案が解決しようとする課題】
【０００３】手荷物などをパイプなどの引っ掛け部に吊るす保持具に関して，手荷物などと引っ掛け部との距離を任意に設定出来る構造とすることによって，手荷物の大きさ，重さ，形状などに応じて最適な高さ位置に吊るして保持することが出来ることにより，従来の簡易吊り具が有していた欠点を完全に解決し，かつ軽量，小型で携帯に適した携帯用保持具を提供する。
【課題を解決するための手段】
【０００４】紐体からなる連結材の一端側に取り付けられて，手荷物などの第一の保持対象を保持する引っ掛けフックなどからなる第一の保持部材，および連結材の他端側に取り付けられて，ラチエット構造などによる連結材の引き出し制限機能を備え，かつ引出し，巻き戻し機能により連結材の長さ設定を行う調節部材，ならびに調節部材に取り付けられて，引っ掛け部などの第二の保持対象を保持する引っ掛けフックなどからなる第二の保持部材で構成され，第一の保持対象と第二の保持対象が調節設定された連結材の長さで連結保持される軽量，小型で，携帯に適したサイズの携帯用保持具。
【考案の効果】
【０００５】手荷物などの第一の保持対象と，引っ掛け部などの第二の保持対象は，調整部材により長さを設定された紐体からなる連結材により繋がれ，かつ連結材の引き出しは所定ピッチで係合部を有するラチエット構造などで制限するため，保持対象間の距離は調節設定された連結材の長さに保持され，手荷物などは引っ掛け部の高さにはよらず，任意で最適な高さに設定保持することが出来るとともに，軽量，小型で持ち歩きが容易な特徴を有する。
【考案を実施するための最良の形態】
【０００６】図１に本考案による携帯用保持具の調整部材の筐体を略した状態の概観正面図を示す。例えば，手荷物などの第一の保持対象を保持する引っ掛けフック状の保持部材１は紐体からなる連結材３の一端に取り付けられ，連結材の他端はリール４に固定されている。リール４，巻き戻し回転子９，引き出し制限機能を有するラチエット構造５はお互いに連結されて支点軸１０に組付けられている。【０００７】巻き戻し窓１２で巻き戻し回転子９を指により右回りに回転させた場合，連結材３はリール４に巻き戻しされる。所定ピッチで係合部を有するラチエット構造５は，ラチエット爪６ならびにラチエット係合部７により，ラチエット構造５，リール４，巻き戻し回転子９の左回転を制限する機能を有している。ラチエット解除ボタン８が押されていない状況ではラチエット爪がバネ圧でラチエット構造に押し付けられており，ラチエット爪がラチエット係合部に落ち込むとラチエット構造５は連結材３が引き出される左方向への回転が制限される。一方ラチエット解除ボタン８が押されている間は，ラチエット爪が係合部から外され連結材３は引っ張ることで引き出し可能な状態にある。【０００８】第二の保持対象を保持する保持部材２は支点軸１０に連結されており，連結材３を介して第一の保持対象を保持する保持部材１に繋がっている。従って，調整部材により連結材３を所定の長さに調節設定して，引っ掛け部に保持部材２を引っ掛け，手荷物などを保持部材１に引っ掛けることにより，手荷物などは調節設定された連結材の長さで引っ掛け部に吊り下げられて保持される。【０００９】以上説明するように本携帯用保持具は，ラチエット解除ボタン８を押しながら連結材３を引っ張って引き出すとともに，巻き戻し窓１２で巻き戻し回転子９を右回しして連結材３を巻き戻すことにより，手荷物などの吊り下げ対象を引っ掛け部に対して任意，最適な高さ位置に調整設定できるため，従来の簡易吊り具が有していた種々の欠点を完全に解決するとともに，一般的な巻尺程度のサイズで軽量，小型で携帯に適した携帯用保持具が実現される。なお，第一の保持対象と第二の保持対象の何れを引っ掛け部とし，いずれを手荷物とするかに関しては，特に限定する必要はなく任意である。
【実施例】
【００１０】本考案の具体的な実施例を以下に記述する。図２に第一の保持部材を調整部材の側面に収納した概観斜視図を示し，図３に第二の保持部材を調整部材の他側面に収納した概観斜視図を示す。保持部材１ならびに２は薄く，強度を維持するために厚さ２ｍｍ，外径４５ｍｍ，幅５ｍｍの鉄材で構成し，保持部材１は調整部材の面に嵌め込んで収納され，保持部材２は回転支持ピン１４により保持され携帯用保持具を持ち歩く場合の携帯性を高める工夫がなされている。また保持部材１は回転材１３により，回転可能な構造とされ，保持対象の保持方向を適切に設定できる。【００１１】調整部材の外形は縦６０ｍｍ，横６０ｍｍ，厚み２５ｍｍで構成し，強度と軽量を確保するため筐体はプラスチック，内部材はアルミ材を主として形成した。連結材は厚み０．３ｍｍ，１．５ｃｍ，長さ１．５ｍのガラス繊維入り塩化ビニール帯で構成したが，鋼製帯なども可能である。連結材の巻き戻しは手動としたが，スプリングなどにより自動的に巻き戻す構成も可能である。さらに，巻き戻し回転子９を個別に形成せず，ラチエット構造５を兼用することも可能である。また，ラチエット構造５，リール４，巻き戻し回転子９などは個々の部品で構成することも出来るとともに，一体構成とすることも可能であり，材質も樹脂，鉄材なども可能である。連結材の引き出し制限機能としてはラチエット構造に限定されず，保持部材に関しても引っ掛けフックに限定されないなど，本考案の趣旨を逸脱しない範囲で種々変形実施が可能である。
【図面の簡単な説明】
【００１２】
【図１】本考案による携帯保持具の調整部材の筐体を略した状態の概観正面図
【図２】第一の保持部材を調整部材の側面に収納した概観斜視図
【図３】第二の保持部材を調整部材の他側面に収納した概観斜視図
【符号の説明】
１  第一の保持部材
２  第二の保持部材
３  連結材
４  リール
５  ラチエット構造
６  ラチエット爪
７  ラチエット係合部
８  ラチエット解除ボタン
９  巻き戻し回転子
１０  支点軸
１１  調整部材筐体
１２  巻き戻し窓
１３  回転材
１４  回転支持ピン
【図１】
0003133339.tif 000003
【図２】
0003133339.tif 000004
【図３】
0003133339.tif 000005
【手続補正書】
【提出日】平成19年2月5日(2007.2.5)
【手続補正１】
【補正対象書類名】実用新案登録請求の範囲
【補正対象項目名】全文
【補正方法】変更
【補正の内容】
【実用新案登録請求の範囲】
【請求項１】
リールに巻き込んで収納される紐体からなる連結材の一端に取り付けて，手荷物の取っ手などの第一の保持対象を保持する引っ掛けフツクからなる第一の保持部材，ならびに連結材の他端が連結されたリールに連結されている巻き戻し回転子を回転させて連結材を巻き戻す機能，およびラチエット構造による連結材の引き出し制限機能を構成する調整部材に取り付けられ，パイプなどの第二の保持対象を保持する引っ掛けフツクからなる第二の保持部材で構成される。連結材は，調整部材に配置されるラチエット解除ボタンによりラチエット爪がラチエット係合部から外された状態では引き出しが可能であり，ラチエット爪が係合部に落ち込んだ状態では，引き出すことが出来ないとともに，巻き戻し回転子を巻き戻し方向に回転させることにより巻き戻される。このようにして連結材を所定の長さ引き出し，巻き戻す操作により第一の保持部材と第二の保持部材の間の長さを任意に設定することが出来るとともに，携帯時には連結材を完全に巻き戻し，第一の保持部材，および第二の保持部材ともに調整部材の側面に収納することにより携帯性を高めた軽量，小型な携帯保持具。
【請求項２】
上記紐体からなる連結材として，巻尺用の目盛りが記された紐体からなる連結材を適用することにより紐体を巻尺としても利用可能な請求項１に記載の携帯保持具。
【手続補正２】
【補正対象書類名】明細書
【補正対象項目名】０００４
【補正方法】変更
【補正の内容】
【０００４】紐体からなる連結材の一端側に取り付けられて，手荷物などの第一の保持対象を保持する引っ掛けフックからなる第一の保持部材，および連結材の他端側に取り付けられて，ラチエット構造による連結材の引き出し制限機能を備え，かつ引出し，巻き戻し機能により連結材の長さ設定を行う調整部材，ならびに調整部材に取り付けられて，引っ掛け部などの第二の保持対象を保持する引っ掛けフックからなる第二の保持部材で構成され，第一の保持対象と第二の保持対象が調節設定された連結材の長さで連結保持される軽量，小型で，携帯に適したサイズの携帯用保持具。
【手続補正３】
【補正対象書類名】明細書
【補正対象項目名】０００５
【補正方法】変更
【補正の内容】
【０００５】手荷物などの第一の保持対象と，引っ掛け部などの第二の保持対象は，調整部材により長さを設定された紐体からなる連結材により繋がれ，かつ連結材の引き出しは所定ピッチで係合部を有するラチエット構造で制限するため，保持対象間の距離は調節設定された連結材の長さに保持され，手荷物などは引っ掛け部の高さにはよらず，任意で最適な高さに設定保持することが出来るとともに，軽量，小型で持ち歩きが容易な特徴を有する。
【手続補正４】
【補正対象書類名】明細書
【補正対象項目名】００１１
【補正方法】変更
【補正の内容】
【００１１】調整部材の外形は縦６０ｍｍ，横６０ｍｍ，厚み２５ｍｍで構成し，強度と軽量を確保するため筐体はプラスチック，内部材はアルミ材を主として形成した。連結材は厚み０．３ｍｍ，１．５ｃｍ，長さ１．５ｍのガラス繊維入り塩化ビニール帯で構成したが，鋼製帯なども可能である。連結材の巻き戻しは手動としたが，スプリングなどにより自動的に巻き戻す構成も可能である。さらに，巻き戻し回転子９を個別に形成せず，ラチエット構造５を兼用することも可能である。また，ラチエット構造５，リール４，巻き戻し回転子９などは個々の部品で構成することも出来るとともに，一体構成とすることも可能であり，材質も樹脂，鉄材なども可能であるなど，本考案の趣旨を逸脱しない範囲で種々変形実施が可能である。
【手続補正書】
【提出日】平成19年4月5日(2007.4.5)
【手続補正１】
【補正対象書類名】実用新案登録請求の範囲
【補正対象項目名】全文
【補正方法】変更
【補正の内容】
【実用新案登録請求の範囲】
【請求項１】
手荷物などをパイプなどに引っ掛けて保持する保持具に関して，紐体からなる連結材を収納するリール，リールに連結され連結材を巻き戻す巻き戻し回転子，リールに連結され連結材の引き出しを制限するラチエット構造，ならびにラチエット爪をラチエット係合部から外して引き出し制限を解除するラチエット解除ボタンにより調整部材を構成し，連結材の一端に手荷物の取っ手など第一の保持対象を保持する引っ掛けフックからなる第一の保持部材を連結し，連結材の他端をリールに連結し，パイプなどの第二の保持対象を保持する引っ掛けフックからなる第二の保持部材を調整部材に連結するとともに，調整部材の側面に第一の保持部材ならびに第二の保持部材を収納可能に構成することにより，第一の保持対象と第二の保持対象が調節設定された連結材の長さで連結保持される，軽量，小型で携帯に適した携帯用保持具。
【請求項２】
上記紐体からなる連結材として，巻尺用の目盛りが記された紐体からなる連結材を適用することにより紐体を巻尺としても利用可能な請求項１に記載の携帯用保持具。